(57)【要約】      （修正有）【課題】パレット上の荷物を固定する方法として、従来のストレッチフィルムを幾重にも巻いて積載物の荷崩れを防止してきたが、最近では再利用できる荷崩れ防止用固定ベルトやネットが普及してきた。しかし、荷崩れ防止用固定ベルトやネットでは積載物の固定を解消した後、整理、管理そして再利用の際に固定ベルト同士が絡まったり、雑然となって作業効率を下げていた。これらの欠点を改善し、積載物を固定、固定解消、整理、管理、再利用の繰り返し作業を作業者一人で短時間にできる手段を提供する。【解決手段】３本の固定ベルトと荷崩れ防止網が長方形に配置された積載物固定ベルトの長手方向の末端部に長手方向に５００ｍｍ〜１０００ｍｍで短手方向に７００ｍｍ〜１２００ｍｍの固定ベルト収納袋を取り付け、収納袋の出入口は積載物固定ベルト短手方向の接合部分が、非接合部分より３０ｍｍ〜５０ｍｍ突出している事による。【選択図】図２
0003133167.tif 000002
【実用新案登録請求の範囲】
【請求項１】
３本の固定ベルトと荷崩れ防止網が長方形に配置された積載物固定ベルトであって、該積載物固定ベルトに収納用袋を設けた事を特徴とするパレット積載物固定ベルト。
【請求項２】
前記、請求項１記載の長方形に配置された積載物固定ベルトの長手方向末端部に長手方向に５００ｍｍ〜１０００ｍｍで、積載物固定ベルトの短手方向に７００ｍｍ〜１２００ｍｍの収納袋を設けた事を特徴とする請求項１記載のパレット積載物固定ベルト。
【請求項３】
前記、請求項１記載のパレット積載物固定ベルトに設けられた収納袋の出入口で、固定ベルト短手方向の接合部分が非接合部分より３０ｍｍ〜５０ｍｍ突出している事を特徴とする請求項１及び２記載のパレット積載物固定ベルト。
【考案の詳細な説明】
【技術分野】
【０００１】  本考案は荷物運搬用パレット積載物の荷崩れを防止する固定ベルトの収納に関する。
【背景技術】
【０００２】従来、荷物運搬用パレット積載物の荷崩れを防止する手段としては、一般には積載物の周囲にストレッチフィルムを幾重にも巻いて積載物の荷崩れを防止してきた。ストレッチフィルムは作業時間がかかりすぎることや再利用が出来ないこと、廃棄で費用がかかり燃焼すると炭酸ガスを排出することから、再利用できる荷崩れ防止用の固定ベルトやネットが普及してきた。しかし、荷崩れ防止用固定ベルトやネットでは積載物の固定を解消した後、積載物固定ベルトやネットを積み重ねて次の利用に備える。この際、積載物固定ベルトやネットを整理して管理することが難しかった。又、積載物固定ベルトを再使用するときに積載物固定ベルト同士やネットが絡まって作業効率を悪化させていた。これらの欠点を改善する事と、積載物の固定と固定解消そして積載物固定ベルトの収納、管理を繰り返し作業するのに作業者一人で簡単にしかも短時間でできる手段の提供が望まれていた。
【考案の開示】
【考案が解決しようとする課題】
【０００３】本考案は荷物運搬用のパレット積載物の荷崩れ防止用固定ベルトに収納用袋を設けて、積載物固定ベルトの収納、整理管理が容易で確実に行なえ、しかも積載物の固定、固定解消と固定ベルトの収納、管理の繰り返し作業を一人で短時間にできる手段の提供にある。
【課題を解決するための手段】
【０００４】上記の課題を解決すべく本考案者らは鋭意検討した結果、上記の課題は次のような手段によって解決できる事がわかった。
即ち、３本の固定ベルトと荷崩れ防止網が長方形に配置された積載物固定ベルトの長手方向の末端部に長手方向に５００ｍｍ〜１０００ｍｍで短手方向に７００ｍｍ〜１２００ｍｍの積載物固定ベルト収納用袋を取り付ける事によって前記課題が解決することがわかった。また、収納袋の出入口は固定ベルト短手方向の固定ベルトに接合部分が、非接合部分より３０ｍｍ〜５０ｍｍ突出していることにより、積載物固定ベルトの固定開始、固定解消、収納、整理管理の一連作業が容易で作業時間が短縮できる態様である。
【考案の効果】
【０００５】３本の固定ベルトと荷崩れ防止網が長方形に配置された積載物固定ベルトの長手方向の末端部に積載物固定ベルト収納用袋を取り付けることによって、該収納袋に積載物固定ベルトを収納、整理管理次いで収納袋から積載物固定ベルトを取り出して積載物の固定作業を開始する態様にする事で、作業者一人でパレット積載物の固定作業から固定解消、収納、整理管理、再利用が出来る。又、本考案の収納袋付き積載物固定ベルトを用いる事によって、従来の積載物固定ベルトの使用時より操作性の向上と作業時間の短縮ができた。
【考案を実施するための最良の形態】
【０００６】作業者一人でパレット上の積載物を固定する場合において、図１の積載物固定開始部材８ａ、８ｂのいずれか一箇所を積載物の段ボール箱２段目と段ボール箱３段目の間のどこか一箇所に挿入し、収納袋付き積載物固定ベルトを一時的に仮固定し、積載物の周囲に図１の１ａ、１ｂ、２ａ、２ｂ、２ｃ、３ａ、３ｂ、及び４からなる収納袋付き積載物固定ベルトを巻き付け、７ａ、７ｂ、７ｃの締め金具に６ａ、６ｂ、６ｃの締めベルトを通して固定する。運搬の後、積載物固定ベルトの固定状態を解消し１ａ、１ｂからなる収納袋に積載物固定ベルトを収納する。望ましい形態は積載状態は図３で収納状態は図２となる。
【実施例】
【０００７】以下、本考案を図面を用いて詳細に説明する。
図１は本考案の収納袋付き積載物固定ベルトの立面図である。１ａ、１ｂ、２ａ、２ｂ、２ｃ、３ａ、３ｂ、８ａ、８ｂ及び４は本考案の収納袋付き積載物固定ベルトの本体である。１ａ、１ｂは本考案の収納袋付き積載物固定ベルトの収納袋である。２ａ、２ｂ、２ｃ、３ａ、３ｂは積載部を固定する固定ベルトであり、４は積載物固定ベルト本体の中で荷崩れ防止機能を持っている網である。５ａ、５ｂ、５ｃは７ａ、７ｂ、７ｃの締め金具と連結させる締めベルトである。６ａ、６ｂ、６ｃは７ａ、７ｂ、７ｃの金具に通し、積載物を固定する締めベルトである。パレット上の積載物を固定する場合は、８ａ、８ｂのいずれか一箇所を積載物の段ボール箱と段ボール箱の間に挿入し、収納袋付き積載物固定ベルトを一時的に仮固定し、積載物の周囲に１ａ、１ｂ、２ａ、２ｂ、２ｃ、３ａ、３ｂ及び４からなる積載物固定ベルトを巻き付け、７ａ、７ｂ、７ｃの締め金具に６ａ、６ｂ、６ｃの締めベルトを通して固定すれば良い態様になっている。更に本考案の収納袋付き積載物固定ベルトは積載物の運搬終了後７ａ、７ｂ、７ｃの締め金具と６ａ、６ｂ、６ｃの締めベルトを外し、固定を解消する。そして、１ａ、１ｂからなる収納袋の９の収納袋出入口より積載物固定ベルトを入れて収納する。積載物の固定、固定解消、収納、管理さらに収納袋からの取出して再利用の作業は作業者一人で出来る事が大きな特徴である。【０００８】図１の本考案の収納袋付き積載物固定ベルトの材質と寸法について以下に説明する。
収納袋１ａ、１ｂはポリプロピレン、ポリエステル、ナイロン、ポリエチレン等のフィルムまたは合成繊維で織られた布で厚さ１ｍｍから３ｍｍが好ましい態様であり、多数回の使用に耐える強度が必要である。２ａ、２ｂ、２ｃ、３ａ、３ｂ、５ａ、５ｂ、５ｃ、６ａ、６ｂ、６ｃの材質はナイロン、ポリエステル、ポリプロピレン等の合成繊維で織られた厚さ２ｍｍから４ｍｍのベルトが好ましい態様であり、多数回利用に耐える強度が必要である。４の材質もナイロン、ポリエステル、ポリプロピレン等が好ましい態様である。収納袋の１ａ、１ｂの寸法は積載物固定ベルトの長手方向末端部に長手方向に５００ｍｍから１０００ｍｍで短手方向７０００ｍｍから１２００ｍｍである。この場合、長手方向の寸法は１ａが１ｂより３０ｍｍから５０ｍｍ長く、突出している。
２ａ、２ｂ、２ｃの寸法は幅５５ｍｍで長さ３５００ｍｍから４２００ｍｍである。３ａ、３ｂの寸法は幅５５ｍｍで長さ７００ｍｍから１２００ｍｍである。５ａ、５ｂ、５ｃの寸法は幅２５ｍｍで長さ１１０ｍｍから１５０ｍｍである。６ａ、６ｂ、６ｃの寸法は幅２５ｍｍで長さ１０００ｍｍから１２００ｍｍである。４の荷崩れ防止網の寸法は幅７００ｍｍから１２００ｍｍで長さ３５００ｍｍから４２００ｍｍ、網の糸の太さは１ｍｍから４ｍｍで、積載される段ボール箱の表示が判読できる態様になっている。７ａ、７ｂ、７ｃの固定金具は６ａ、６ｂ、６ｃの幅２５ｍｍの締めベルトを通して固定できる態様となっている。【０００９】図２は収納袋に積載物固定ベルトを収納した時の１ａ、１ｂ及び収納袋出入口９の部分の拡大図である。７ａ、７ｂ、７ｃと３ａを２ａ、２ｂ、２ｃに沿って９の方向に畳みながら収納袋出入口９から袋に収納する態様である。この際、積載物固定ベルト長手方向で１ａの寸法が１ｂの寸法よりも３０ｍｍから５０ｍｍ長いと収納作業が効率良くできる。【００１０】図３は実際の積載物をパレット上に積み、本考案の収納袋付き積載物固定ベルトで積載物を固定した積載状態図である。段ボール箱３段の積載物が本考案の収納袋付き積載物固定ベルトによって固定された状態を示す。８ａの固定開始用挿入部を固定開始時は段ボール箱２段目と３段目の間に挿入して仮固定し、固定開始作業を行ない、段ボール箱を一周して、７ａ、７ｂ、７ｃの固定金具に６ａ、６ｂ、６ｃの締めベルトを通して固定作業をする。この時、積載物固定ベルトの上部が３段目の段ボール箱にかかるようにして締め付けると、パレット上の積載物が固定できる態様となっている。この時、収納袋を構成する１ａ、１ｂは積載物固定作業を阻害することなくできる。また、積載物等の表示場所としても都合が良い。
【産業上の利用可能性】
【００１１】パレットに荷物を積載し運搬する運搬作業者及び輸送業界で、パレットへの荷物、例えば段ボール箱等を数段に重ねて積載し、該荷物を固定、輸送、固定解消、収納管理、再利用を繰り返す場合において、従来利用していた積載物固定ベルトに代わって本考案の収納袋付き積載物固定ベルトが利用できる。
【図面の簡単な説明】
【００１２】
【図１】収納袋付き積載物固定ベルトの立面図
【図２】収納袋付き積載物固定ベルトの収納袋に収納時の状態図
【図３】積載物をパレット上に積み収納袋付き積載物固定ベルトで積載物を固定した状態図
【符号の説明】
【００１３】  １ａ                  ：収納袋（固定ベルト接合側）
１ｂ                  ：収納袋（固定ベルト非接合側）
２ａ、２ｂ、２ｃ      ：固定ベルト（長手方向）
３ａ、３ｂ、          ：固定ベルト（短手方向）
４                    ：荷崩れ防止網
５ａ、５ｂ、５ｃ      ：締めベルト
６ａ、６ｂ、６ｃ      ：締めベルト
７ａ、７ｂ、７ｃ      ：締め金具
８ａ、８ｂ、          ：固定開始用挿入部材
９                    ：収納袋出入口
１０                    ：パレット
【図１】
0003133167.tif 000003
【図２】
0003133167.tif 000004
【図３】
0003133167.tif 000005